(57)【要約】トイレットペーパー用又は吸水性シート材料用のホルダーであって、前記ロールは中空円筒状の芯を有し、前記ホルダーは、紙、布又は薄いプラスチック製シートから形成されたパッチと、前記芯に通して前記パッチに留められた紐とを備える。前記パッチ及び前記紐の組み立て体は、前記パッチの接着によって壁に対して前記ロールを吊るすことが可能になっている。前記紐は、前記パッチに留められ得る二つの脚部を形成する。代わりに、前記紐の一方の脚部における一端部が、前記パッチより下の離れた点において、一端部が前記パッチに留められた他方の脚部に固定されている。前記接着部は、剥離シートによって覆われていてもよい。【選択図】図１
2019501752.tif 000002
【特許請求の範囲】
【請求項１】
トイレットペーパーのロール用又は吸水性シート材料のロール用のホルダーであって、
前記ロールは、中空円筒状の芯を有し、
前記ホルダーは、紙、布又は薄いプラスチックシートから形成されており接着表面を有するパッチと、前記ロールの芯に通すことが可能であり且つ前記パッチに留められた紐とを備え、
前記パッチ及び前記紐の組み立て体が、前記紐によって吊るされた前記ロールを前記パッチの接着によって面に支持することが可能になっている、ホルダー。
【請求項２】
前記紐が、前記支持されたロールから延びている二本の脚部を有する単一のコードを備える、請求項１に記載のホルダー。
【請求項３】
各脚部が、それらの端部において前記パッチに留められている、請求項２に記載のホルダー。
【請求項４】
前記紐の一方の脚部における一端部は、前記パッチより下方の離れた点において、端部が前記パッチに留められた他方の脚部に固定されている、請求項２に記載のホルダー。
【請求項５】
前記接着部が、剥離シートによって覆われている、請求項１に記載のホルダー。
【請求項６】
トイレットペーパーのロール又は吸水性材料のロール及び該ロール用のホルダーの組み立て体であって、
前記ロールは、中空円筒状の芯を有し、
前記ホルダーは、紙、布又はプラスチック製シートから形成されており接着表面を有するパッチと、前記芯に通すことが可能であり且つ前記パッチに留められた紐とを備え、
前記パッチ及び前記紐の組み立て体が、前記紐によって吊るされた前記ロールを前記パッチの接着によって面に支持することが可能になっている、組み立て体。
【請求項７】
前記紐が、支持されたロールから延びている二本の脚部を有する単一のコードを備える、請求項６に記載の組み立て体。
【請求項８】
各脚部が、それらの端部において前記パッチに留められている、請求項７に記載の組み立て体。
【請求項９】
前記紐の一方の脚部における一端部は、前記パッチより下方の離れた点において、端部が前記パッチに留められた他方の脚部に固定されている、請求項７に記載の組み立て体。
【請求項１０】
前記接着部が、剥離シートによって覆われている、請求項１に記載の組み立て体。
【発明の詳細な説明】
【技術分野】
【０００１】
本発明は、トイレットペーパー又は吸収性シート材料に用いられるようなロールホルダーに関する。
【背景技術】
【０００２】
トイレットペーパー、紙又は吸水性材料のキッチンロールのようなロールペーパーの引き出しを促すための非常に多種多様なホルダーが知られている。これらには、壁に据え付けられる装置や自立式の装置が含まれる。壁に据え付けられる装置は、壁に接続され、バネが付された伸縮自在の芯であって壁から延びている複数の台の間に支持された芯、及び、水平に壁から延びている又は支柱として形成されて壁から延びているＵ字状の金属棒を含む。いくつかのホルダーは、機能性を主としている一方で、その他のものには、バスルームハイライト又はキッチンハイライトを提供し、それらがなければ平凡な装置になるデザイナーホルダーがある。デザイナーロールホルダーは、Ｖａｎｄｉｓｓ社によってＤｉａｂｏｌｏ  Ｔｏｉｌｅｔ  Ｐａｐｅｒ  Ｈｏｌｄｅｒとして販売されており（http://shop.gessato.com/diabolo-toilet-paper-holder-by-vandiss.html）、このホルダーは、壁に据え付けられる滑車を用いている。トイレットペーパーを吊るすために、船舶用のロープが、トイレットペーパーのロールにおける中空円筒状の芯に通され、前記滑車のハブに巻き付けられる。該トイレットペーパーホルダーは、ストリングに交差してバランスが取られた深い滑車の形をしたコマからなるジャグリングトイ（juggling toy）から、その作用の形態が由来する。該トイレットペーパーホルダーは、壁と滑車の背部との両方に塗付された接着剤の使用により、ヘアドライヤー等からの熱を用いた後、７２時間硬化させることによって、壁に留められる。種々様々なデザイナーペーパーロールホルダーの多くがそうであるように、このような滑車ホルダーの本質的な目的は装飾である。
【発明の概要】
【発明が解決しようとする課題】
【０００３】
トイレットペーパー又は吸水性ペーパーの使用が必要な人が、バスルーム又はキッチンがある家にいないとき、例えば、キャンプのときや、その人に住宅が無く又はその人が貧しい住宅若しくは老朽住宅に住んでいるとき、頼れるものは、携帯用ティッシュペーパー又は支持されていないペーパーロールのみである。自立式の装置の使用は、このような装置を運ぶことが煩わしいため実用的ではなく、また、先行技術における前述の滑車ホルダーのような壁に据え付けられる装置は適していない。テントの壁や、薄すぎて通常のホルダーを支持できず若しくは穴をあけることができない壁に容易に据え付けることができ、又は、しばしば家のない人々の住み家としての役目をする高架道路の下にさえ容易に据え付けることができるペーパーホルダーが求められている。このようなホルダーは、シンプルで安価でなければならず、その上、完全に機能した、壁に据え付けられるペーパーロールホルダーの便利さも提供されなければならない。
【課題を解決するための手段】
【０００４】
本発明は、このような紐状のホルダーを提供し、該紐は、トイレットペーパーのロール又は吸水性シート材料のロールにおける中空円筒状の芯に通されて二本の脚部を形成し、前記紐が固定された接着パッチによって壁から吊るされる。一実施形態では、前記紐の前記二本の脚部は、それらの端部において接合されており、その接合点において前記パッチに留められている。別の実施形態では、前記紐の一方の脚部における一端部が、前記パッチより下方の離れた点において、端部が前記パッチに留められた他方の脚部に固定されている。該固定は、結ぶことによって又は融着によってなされてもよく、プラスチックのスリーブ内で重ね合わされてもよい。前記紐を構成するコードは、ストリング、ケーブル、スレッドを編んだような編物、レース、ランヤード（lanyard）又はトワイン（twine）から形成されてもよい。前記紐は、単紐であってもよく、複数の紐から形成されてもよい。前記紐は、前記パッチの接着によって該パッチに留められてもよく、該パッチに縫い付けられてもよい。前記パッチは、紙、布又は薄い（すなわち、０．３ｃｍよりも薄い）プラスチック製シートから形成された、任意の簡便な形状、四角形状、三角形状、円形状又はこれらに類する形状の材料片である。前記パッチは、一面に接着部を有し、該一面は、紙、布又は透明な若しくは澄明な薄いプラスチック製の剥離シートによって覆われていてもよく、該剥離シートの外面には印刷が行われていてもよい。このような印刷は、デザイン又はテキスト又はこれらの組み合わせであってもよく、ホルダーを製造する会社のロゴ又は広告収入を生むためのサードパーティのロゴであってもよい。前記ホルダーは、それが支持することになる前記ロールとは別個に提供されてもよく、取り付けられた前記紐の前記端部が前記ロールの前記芯にすでに通されて提供されてもよい。
【図面の簡単な説明】
【０００５】
本発明をより完全に理解するために、参照符号が以下の添付の図面を併せた詳細な説明に付されており、ここで、破線は、ホルダーによって支えられる紙のロールを示す目的に用いられている。
【０００６】
【図１】図１は、本発明の第１実施形態における正面の斜視図である。
【図２】図２は、図１の実施形態における正面の平面図である。
【図３Ａ】図３Ａは、図１の実施形態における背面の平面図であり、接着層に支持された澄明なプラスチック製の剥離シートを示す。
【図３Ｂ】図３Ｂは、澄明なプラスチック製の剥離シートが除去されて接着層が見えている図３Ａの実施形態における背面の平面図である。
【図４】図４は、図１の実施形態における左側面図である。
【図５】図５は、図１の実施形態における右側面図である。
【図６】図６は、図１の実施形態における上面図である。
【図７】図７は、図１の実施形態における下面図である。
【図８】図８は、本発明の第２実施形態における正面の斜視図である。
【図９】図９は、図８の実施形態における正面の平面図である。
【図１０Ａ】図１０Ａは、図８の実施形態における背面の平面図であり、接着層に支持された澄明なプラスチック製の剥離シートを示す。
【図１０Ｂ】図１０Ｂは、澄明なプラスチック製の剥離シートが除去されて接着層が見えている図１０Ａの実施形態における背面の平面図である。
【図１１】図１１は、図８の実施形態における左側面図である。
【図１２】図１２は、図８の実施形態における右側面図である。
【図１３】図１３は、図８の実施形態における上面図である。
【図１４】図１４は、図８の実施形態における下面図である。
【図１５Ａ】図１５Ａは、トイレットペーパーを吊るすために、トイレットペーパーのロールにおける中空円筒状の芯に通され且つ滑車のハブに巻き付けられた船舶用のロープを有し、壁上に滑車を据え付けられるように設計された先行技術のホルダーを示す。
【図１５Ｂ】図１５Ｂは、図１５Ａのホルダーの滑車の領域の詳細を示す。
【図１５Ｃ】図１５Ｃは、図１５Ａのホルダー用の説明書である。
【発明を実施するための形態】
【０００７】
図１５Ａ〜図１５Ｃは、Ｖａｎｄｉｓｓ社によってＤｉａｂｏｌｏ  Ｔｏｉｌｅｔ  Ｐａｐｅｒ  Ｈｏｌｄｅｒとして販売されている（http://shop.gessato.com/diabolo-toilet-paper-holder-by-vandiss.html）デザイナーロールホルダー及びその説明書を示し、該ホルダーは、トイレットペーパーのロールにおける中空円筒状の芯に通され且つ滑車のハブに巻き付けられた一本の船舶用のロープにトイレットペーパーのロールを吊るし、それによってトイレットペーパーを吊るす。前記滑車は、壁及び該滑車の背部に塗布された接着剤を使用して壁に据え付けられている。前記ロールの重量に前記滑車の重量が加わるため、据え付けにはドライヤー等からの熱を用いた後、７２時間硬化させることが必要となる。
【０００８】
図１〜図７は、本発明の第１実施形態を示し、トイレットペーパーのロール１０によって例示された紙のロールが、紐１２によって吊るされている。紐１２は、トイレットペーパーのロール又は吸水性シート材料のロールにおける中空円筒状の芯１４に通されており、二つの脚部１６、１８を形成している。本発明は、壁にハードウェアを用いて固定される必要がある滑車又はその他の装置に巻き付けられるものではなく、図３Ｂに示されるように、壁又はその他の支持部に紐１２を留めるために、紐１２の端部２２、２４が留められた接着パッチ２０を利用している。
【０００９】
パッチ２０は、紙、布又は薄い（すなわち、０．３ｃｍよりも薄い）プラスチック製シートから形成された、任意の簡便な形状、四角形状、三角形状、円形状又はこれらに類する形状の材料片であり、図３Ｂに示すように一面に接着部２６を有する。接着部２６は、剥離シート２８によって覆われてもよく、剥離シート２８は、透明であってもよく又は澄明であってもよく、その外面に印刷が行われてもよい。このような印刷は、デザイン又はテキスト又はこれらの組み合わせであってもよく、ホルダーを製造する会社のロゴ又は広告収入を生むためのサードパーティのロゴであってもよい。剥離シート２８は、示されるように、澄明なプラスチックであってもよく、紙又はその他の材料であってもよい。図３Ｂに示すように、紐の端部２２、２４は、接着部２６によってパッチ２０に固定されてもよい。代わりに又は加えて、紐の端部２２、２４は、パッチ２０に縫い付けられてもよく、紐１２及びパッチ２０がプラスチック製材料からなる場合、それらは互いに融着されてもよい。
【００１０】
図８〜図１４を参照すると、第２実施形態が示されており、紐１２’における一本の脚部１６’の一端部が、パッチ２０より下方の離れた点３０において、他方の脚部１８’に固定されており、脚部１６’の端部２２’がパッチ２０に留められている。該固定は、結ぶことによって又は融着によってなされてもよく、プラスチックのスリーブ３２内で重ねられてもよい。
【００１１】
紐１２又は１２’は、ストリング、ケーブル、スレッドを編んだような編物、レース、ランヤード（lanyard）、トワイン（twine）又はコード若しくは任意の他の適合した材料から形成されてもよい。
【００１２】
本発明が好ましい実施形態に関連して示されたが、当業者に容易に理解されるように、修正及び変更が、本発明の原理及び範囲を逸脱することなく適用され得ることが理解される。加えて、このような修正は、次の特許請求の範囲内で実行され得る。
【図１】
2019501752.tif 000003
【図２】
2019501752.tif 000004
【図３Ａ】
2019501752.tif 000005
【図３Ｂ】
2019501752.tif 000006
【図４】
2019501752.tif 000007
【図５】
2019501752.tif 000008
【図６】
2019501752.tif 000009
【図７】
2019501752.tif 000010
【図８】
2019501752.tif 000011
【図９】
2019501752.tif 000012
【図１０Ａ】
2019501752.tif 000013
【図１０Ｂ】
2019501752.tif 000014
【図１１】
2019501752.tif 000015
【図１２】
2019501752.tif 000016
【図１３】
2019501752.tif 000017
【図１４】
2019501752.tif 000018
【図１５Ａ】
2019501752.tif 000019
【図１５Ｂ】
2019501752.tif 000020
【図１５Ｃ】
2019501752.tif 000021
【国際調査報告】
2019501752.tif 000022
2019501752.tif 000023